(57)【特許請求の範囲】
【請求項１】
需要家施設から入出するエネルギーの計測データを取得するスマートメータと、
前記スマートメータと第１の通信路を介して通信可能であるサーバと、
前記スマートメータと第２の通信路を介して通信可能であるエネルギー管理装置と、を備え、
前記サーバは、
前記第１の通信路を介した前記スマートメータからの計測データの取得に異常が発生した場合、公共通信網を介して、前記スマートメータから前記計測データを取得させる指示を前記エネルギー管理装置に送信する、または前記スマートメータに前記計測データを要求することを特徴とするエネルギー管理システム。
【請求項２】
請求項１記載のエネルギー管理システムにおいて、
前記サーバは、前記第１の通信路を介して、前記スマートメータに前記計測データを要求し、該要求に応じて前記計測データが送信されてこない場合、前記公共通信網を介して、前記スマートメータに前記計測データを要求し、
前記スマートメータは、
前記公共通信網を介して、前記サーバから前記計測データが要求されると、前記公共通信網を介して、前記サーバに前記計測データを送信することを特徴とするエネルギー管理システム。
【請求項３】
請求項１記載のエネルギー管理システムにおいて、
前記スマートメータは、
前記エネルギー管理装置への計測データの送信後に、該計測データに異常が発生した場合に、前記サーバから前記計測データが要求されると、前記第１の通信路を介して、前記計測データの異常の発生を前記サーバに通知し、
前記サーバは、前記計測データの異常の発生を前記スマートメータから通知されると、前記公共通信網を介して、前記エネルギー管理装置に前記計測データを要求することを特徴とするエネルギー管理システム。
【請求項４】
請求項３記載のエネルギー管理システムにおいて、
前記エネルギー管理装置は、
前記公共通信網を介して、前記サーバから前記計測データが要求されると、前記公共通信網を介して、前記計測データを前記サーバに送信することを特徴とするエネルギー管理システム。
【請求項５】
請求項３記載のエネルギー管理システムにおいて、
前記エネルギー管理装置は、
前記公共通信網を介して、前記サーバから前記計測データが要求されると、前記第２の通信路を介して、前記計測データを前記スマートメータに送信し、
前記スマートメータは、前記第２の通信路を介して、前記エネルギー管理装置が送信した計測データを受信し、該受信した計測データに基づき前記異常が発生した計測データを復旧し、前記第１の通信路を介して、前記サーバから前記計測データが要求されると、前記第１の通信路を介して、前記サーバに前記復旧した計測データを送信することを特徴とするエネルギー管理システム。
【請求項６】
請求項１記載のエネルギー管理システムにおいて、
前記サーバは、前記スマートメータから取得した計測データに異常が発生した場合、前記公共通信網を介して、前記エネルギー管理装置に前記計測データを要求し、
前記エネルギー管理装置は、
前記公共通信網を介して、前記サーバから前記計測データを要求されると、前記公共通信網を介して、前記サーバに前記計測データを送信することを特徴とするエネルギー管理システム。
【請求項７】
請求項６記載のエネルギー管理システムにおいて、
前記サーバは、前記エネルギー管理装置が送信した前記計測データを受信すると、前記公共通信網を介して、前記計測データの復旧を前記エネルギー管理装置に通知し、
前記エネルギー管理装置は、
前記公共通信網を介して、前記サーバから前記計測データの復旧を通知されると、前記計測データが復旧した旨を表示装置に表示させることを特徴とするエネルギー管理システム。
【請求項８】
請求項３から６のいずれか１項に記載のエネルギー管理システムにおいて、
前記サーバは、前記サーバからの要求に応じて前記エネルギー管理装置が前記計測データを前記サーバまたは前記スマートメータに送信した場合、前記エネルギー管理装置が設けられている需要家に対してインセンティブを与えることを特徴とするエネルギー管理システム。
【請求項９】
需要家施設から入出するエネルギーの計測データを取得するスマートメータと、前記スマートメータと第１の通信路を介して通信可能であるサーバと、前記スマートメータと第２の通信路を介して通信可能であるエネルギー管理装置とを備えるエネルギー管理システムの制御方法であって、
前記サーバは、前記第１の通信路を介した前記スマートメータからの計測データの取得に異常が発生した場合、公共通信網を介して、前記スマートメータから前記計測データを取得させる指示を前記エネルギー管理装置に送信する、または前記スマートメータに前記計測データを要求するステップを含む制御方法。
【請求項１０】
需要家施設から入出するエネルギーの計測データを取得するスマートメータであって、
サーバと第１の通信路を介して通信可能である第１の通信部と、
エネルギー管理装置と第２の通信路を介して通信可能である第２の通信部と、
前記第１の通信路を介した前記サーバによる計測データの取得に異常が発生した場合、公共通信網を介して、前記計測データを前記サーバに送信するスマートメータ制御部と、を有することを特徴とするスマートメータ。
【請求項１１】
需要家施設から入出するエネルギーの計測データを取得し、第１の通信路を介してサーバと通信可能であるスマートメータと第２の通信路を介して通信可能である第１の通信部と、
前記サーバと公共通信網を介して通信可能である第２の通信部と、
前記第１の通信路を介した前記サーバによる計測データの取得に異常が発生した場合、前記第２の通信路を介して、前記スマートメータに前記計測データを送信する、または前記公共通信網を介して、前記サーバに前記計測データを送信するエネルギー管理装置制御部と、を有することを特徴とするエネルギー管理装置。
【発明の詳細な説明】
【技術分野】
【０００１】
本発明は、エネルギー管理システム、制御方法、スマートメータおよびエネルギー管理装置に関する。
【背景技術】
【０００２】
家庭などの需要家施設における、電気、ガス、水道などのエネルギーの使用量などを管理するエネルギー管理システムが検討されている。例えば、特許文献１には、需要家施設から入出する電力を計測するスマートメータと、スマートメータから計測結果である計測データを取得する親機と、親機からスマートメータの計測データを取得するサーバとからなるシステムが開示されている。このようなシステムによれば、サーバがエネルギーの使用量などの計測データを取得することで、サーバの管理者（例えば、電力会社）による遠隔検針、電力需給の予測などが可能となる。
【０００３】
上述したようなシステムにおいて、サーバと親機との間の通信路、あるいは、親機とスマートメータとの間の通信路に通信異常が生じると、サーバが計測データを取得できない場合がある。そこで、特許文献１においては、親機は、サーバとの間の通信路の異常を検出すると、スマートメータから取得した計測データを蓄積しておき、通信路の異常の解消後に、蓄積した計測データをサーバに送信する。また、スマートメータは、親機との間の通信路の異常を検出すると、計測データを蓄積しておき、通信路の異常の解消後に、蓄積した計測データを親機に送信する。こうすることで、通信路に異常が生じている間も計測データが蓄積され、通信路の異常の解消後にサーバに送信されるので、サーバによる計測データの取得に漏れが生じるのを防ぐことができる。
【先行技術文献】
【特許文献】
【０００４】
【特許文献１】特開２０１４−１５４１１４号公報
【発明の概要】
【発明が解決しようとする課題】
【０００５】
特許文献１に開示されているシステムにおいては、通信路の異常が発生すると、サーバは、通信路の異常が解消するまで、計測データを取得することができない。したがって、通信路の異常が解決されるまで、サーバによる計測データの取得に遅滞が生じてしまうという問題があった。
【０００６】
本発明の目的は、上述した課題を解決し、通信路の復旧を待つことなく、サーバが計測データを取得することができるエネルギー管理システム、制御方法、スマートメータ、およびエネルギー管理装置を提供することにある。
【課題を解決するための手段】
【０００７】
上記課題を解決するため、本発明に係るエネルギー管理システムは、需要家施設から入出するエネルギーの計測データを取得するスマートメータと、前記スマートメータと第１の通信路を介して通信可能であるサーバと、前記スマートメータと第２の通信路を介して通信可能であるエネルギー管理装置と、を備え、前記サーバは、前記第１の通信路を介した前記スマートメータからの計測データの取得に異常が発生した場合、公共通信網を介して、前記スマートメータから前記計測データをに取得させる指示を前記エネルギー管理装置に送信する、または前記スマートメータに前記計測データを要求する。
【０００８】
また、上記課題を解決するため、本発明に係る制御方法は、需要家施設から入出するエネルギーの計測データを取得するスマートメータと、前記スマートメータと第１の通信を介して通信可能であるサーバと、前記スマートメータと第２の通信路を介して通信可能であるエネルギー管理装置とを備えるエネルギー管理システムの制御方法であって、前記サーバは、前記第１の通信路を介した前記スマートメータからの計測データの取得に異常が発生した場合、公共通信網を介して、前記スマートメータから前記計測データを取得させる指示を前記エネルギー管理装置に送信する、または前記スマートメータに前記計測データを要求するステップを含む。
【０００９】
また、上記課題を解決するため、本発明に係るスマートメータは、需要家施設から入出するエネルギーの計測データを取得するスマートメータであって、サーバと第１の通信路を介して通信可能である第１の通信部と、エネルギー管理装置と第２の通信路を介して通信可能である第２の通信部と、前記第１の通信路を介した前記サーバによる計測データの取得に異常が発生した場合、公共通信網を介して、前記計測データを前記サーバに送信するスマートメータ制御部と、を有する。
【００１０】
また、上記課題を解決するため、本発明に係るエネルギー管理装置は、需要家施設から入出するエネルギーの計測データを取得し、第１の通信路を介してサーバと通信可能であるスマートメータと第２の通信路を介して通信可能である第１の通信部と、前記サーバと公共通信網を介して通信可能である第２の通信部と、前記第１の通信路を介した前記サーバによる計測データの取得に異常が発生した場合、前記第２の通信路を介して、前記スマートメータに前記計測データを送信する、または前記公共通信網を介して、前記サーバに前記計測データを送信するエネルギー管理装置制御部と、を有する。
【発明の効果】
【００１１】
本発明に係るエネルギー管理システム、制御方法、スマートメータおよびエネルギー管理装置よれば、通信路の復旧を待つことなく、サーバが計測データを取得することができる。
【図面の簡単な説明】
【００１２】
【図１】本発明の一実施形態に係るエネルギー管理システムの構成を示すブロック図である。
【図２】図１に示すエネルギー管理システムの、Ａルートに通信異常が発生した場合の動作の一例を示すシーケンス図である。
【図３】図１に示すエネルギー管理システムの、スマートメータが蓄積する計測データに異常が発生した場合の一例を示すシーケンス図である。
【図４】図１に示すエネルギー管理システムの、スマートメータが蓄積する計測データに異常が発生した場合の他の一例を示すシーケンス図である。
【図５】図１に示すエネルギー管理システムの、サーバが蓄積する計測データに異常が発生した場合の動作の一例を示すシーケンス図である。
【発明を実施するための形態】
【００１３】
以下、本発明の実施の形態について説明する。
【００１４】
図１は、本発明の一実施形態に係るエネルギー管理システム１の構成を示すブロック図である。本実施形態に係るエネルギー管理システム１は、需要家施設における、電気、ガス、水道などのエネルギーの使用量などを管理するものであり、以下では、エネルギーが電力である例を用いて説明する。
【００１５】
図１に示すエネルギー管理システム１は、スマートメータ１０と、エネルギー管理装置２０と、サーバ３０とを含んで構成される。
【００１６】
スマートメータ１０は、需要家施設に設けられ、需要家施設から入出するエネルギーを計測する。本実施形態においては、上述した通り、電力量を計測するスマートメータ１０である。スマートメータ１０は、例えば、電力の使用量または売電量などの計測結果を示す計測データを生成し、蓄積する。
【００１７】
エネルギー管理装置２０は、需要家施設に設けられたスマートメータ１０から計測データを取得する。そして、エネルギー管理装置２０は、取得した計測データなどに基づき、その需要家施設における電力使用、需要家施設に設けられた負荷機器などを制御する。エネルギー管理装置２０は、例えば、ＨＥＭＳ（Ｈｏｍｅ  Ｅｎｅｒｇｙ  Ｍａｎａｇｅｍｅｎｔ  Ｓｙｓｔｅｍ）である。
【００１８】
サーバ３０は、計測データを取得し、取得した計測データに基づき、需要家施設における電力の使用量の検針、電力需要の予測などを行う。サーバ３０は一般に、エネルギー供給者（例えば、電力会社）により管理される。
【００１９】
エネルギー管理システム１においては、スマートメータ１０とサーバ３０とは、専用の通信路である第１の通信路（Ａルート）を介して通信可能である。また、スマートメータ１０とエネルギー管理装置２０とは、専用の通信路である第２の通信路（Ｂルート）を介して通信可能である。また、スマートメータ１０、エネルギー管理装置２０およびサーバ３０は互いに、公共通信網を介して通信可能である。
【００２０】
Ａルートには通常、図１に示すように、所定の中継装置であるコンセントレータ４０が設けられており、スマートメータ１０とサーバ３０との通信は、コンセントレータ４０を経由して行われる。このように、Ａルートは所定の中継装置であるコンセントレータ４０を経由する通信路である。
【００２１】
図１においては、スマートメータ１０およびエネルギー管理装置２０をそれぞれ１台ずつ示しているが、通常、複数の需要家施設にそれぞれ、スマートメータ１０およびエネルギー管理装置２０が設けられる。この場合、複数のスマートメータ１０の計測データは通常、スマートメータ１０間のマルチホッピング通信を経て、Ａルート上に設けられたコンセントレータ４０に集約される。コンセントレータ４０は、マルチホッピング通信を介して送信されてきた各スマートメータ１０の計測データを集約し、サーバ３０に送信する。
【００２２】
また、スマートメータ１０とエネルギー管理装置２０との通信には種々の通信方式を採用可能である。スマートメータ１０とエネルギー管理装置２０との専用の通信路（Ｂルート）はパスワードなどにより１対１通信が確保されている。スマートメータ１０とエネルギー管理装置２０との通信には、例えば、赤外線通信、電力線搬送通信（ＰＬＣ:Ｐｏｗｅｒ  Ｌｉｎｅ  Ｃｏｍｍｕｎｉｃａｔｉｏｎ）、Ｗｉ−ＳＵＮ、ＺｉｇＢｅｅ（登録商標）およびＥｃｈｏｎｅｔ  Ｌｉｔｅ（登録商標）などの近距離通信方式による通信を採用することができる。
【００２３】
次に、スマートメータ１０、エネルギー管理装置２０およびサーバ３０の要部構成について説明する。
【００２４】
まず、スマートメータ１０の構成について説明する。
【００２５】
図１に示すスマートメータ１０は、計測部１１と、Ａルート用通信部１２と、Ｂルート用通信部１３と、公共通信網用通信部１４と、スマートメータ制御部１５とを含んで構成される。
【００２６】
計測部１１は、需要家施設からの電力の入出を計測し、計測結果を示す計測データを生成する。
【００２７】
Ａルート用通信部１２は、スマートメータ１０の第１の通信部であり、Ａルートを介して、サーバ３０と通信可能である。上述したように、Ａルートには、コンセントレータ４０などの所定の中継装置が設けられ、中継装置を経由して、スマートメータ１０とサーバ３０との通信が行われる。したがって、Ａルート用通信部１２は、所定の中継装置を経由して、サーバ３０と通信を行う。
【００２８】
Ｂルート用通信部１３は、スマートメータ１０の第２の通信部であり、Ｂルートを介して、エネルギー管理装置２０と通信可能である。
【００２９】
公共通信網用通信部１４は、スマートメータ１０の第３の通信部であり、公共通信網を介して、エネルギー管理装置２０およびサーバ３０と通信可能である。
【００３０】
ここで公共通信網とは、一般的ユーザが使用できる汎用または供用の通信網である。公共通信網は、具体的に、例えば、イーサネット（登録商標）、無線ＬＡＮ、無線基地局を介した移動体通信などを用いることができる。
【００３１】
スマートメータ制御部１５は、スマートメータ１０の各機能部をはじめとしてスマートメータ１０の全体を制御および管理する。例えば、スマートメータ制御部１５は、計測部１１が生成した計測データを蓄積する。また、スマートメータ制御部１５は、各通信部を介した計測データのエネルギー管理装置２０およびサーバ３０への送信を制御する。
【００３２】
次に、エネルギー管理装置２０の要部構成について説明する。
【００３３】
図１に示すエネルギー管理装置２０は、Ｂルート用通信部２１と、公共通信網用通信部２２と、エネルギー管理装置制御部２３とを含んで構成される。
【００３４】
Ｂルート用通信部２１は、エネルギー管理装置２０の第１の通信部であり、Ｂルートを介して、スマートメータ１０と通信可能である。
【００３５】
公共通信網用通信部２２は、エネルギー管理装置２０の第２の通信部であり、公共通信網を介して、スマートメータ１０およびサーバ３０と通信可能である。
【００３６】
エネルギー管理装置制御部２３は、エネルギー管理装置２０の各機能部をはじめとしてエネルギー管理装置２０の全体を制御および管理する。例えば、エネルギー管理装置制御部２３は、各通信部を介した計測データの送受信を制御する。
【００３７】
次に、サーバ３０の要部構成について説明する。
図１に示すサーバ３０は、Ａルート用通信部３１と、公共通信網用通信部３２と、サーバ制御部３３とを含んで構成される。
【００３８】
Ａルート用通信部３１は、サーバ３０の第１の通信部であり、Ａルートを介して、スマートメータ１０と通信可能である。
【００３９】
公共通信網用通信部３２は、サーバ３０の第２の通信部であり、公共通信網を介して、スマートメータ１０およびエネルギー管理装置２０と通信可能である。
【００４０】
サーバ制御部３３は、サーバ３０の各機能部をはじめとしてサーバ３０の全体を制御および管理する。例えば、サーバ制御部３３は、各通信部を介した計測データの取得を制御する。
【００４１】
次に、本実施形態に係るエネルギー管理システム１の動作について説明する。
【００４２】
図２は、エネルギー管理システム１の動作の一例を示すシーケンス図である。図２においては、Ａルートに通信異常が発生した場合の動作について説明する。
【００４３】
スマートメータ１０では、計測部１１は、需要家施設からの電力の入出を計測し、計測結果を示す計測データを生成する。スマートメータ制御部１５は、計測部１１が生成した計測データを蓄積する（ステップＳ１０１）。
【００４４】
サーバ３０では、サーバ制御部３３は、一定周期（例えば、毎時００分および３０分の３０分周期）で、計測データの送信を要求する定期計測データ要求を、Ａルート用通信部３１にスマートメータ１０へ送信させる（ステップＳ１０２）。
【００４５】
スマートメータ１０では、Ａルート用通信部１２は、Ａルートを介してサーバ３０から送信されてきた定期計測データ要求を受信する。スマートメータ制御部１５は、Ａルート用通信部１２により受信された定期計測データ要求に応じて、計測データを含む定期計測データ応答をＡルート用通信部１２にサーバ３０へ送信させる（ステップＳ１０３）。
【００４６】
サーバ３０では、Ａルート用通信部３１は、Ａルートを介してスマートメータ１０から送信されてきた定期計測データ応答を受信する。サーバ制御部３３は、Ａルート用通信部３１により受信された定期計測データ応答に含まれる計測データを蓄積する（ステップＳ１０４）。
【００４７】
エネルギー管理装置２０では、エネルギー管理装置制御部２３は、一定周期（例えば、５分周期）で、定期計測データ要求をＢルート用通信部２１にスマートメータ１０へ送信させる（ステップＳ１０５）。
【００４８】
スマートメータ１０では、Ｂルート用通信部１３は、Ｂルートを介してエネルギー管理装置２０から送信されてきた定期計測データ要求を受信する。スマートメータ制御部１５は、Ｂルート用通信部１３により受信された定期計測データ要求に応じて、計測データを含む定期計測データ応答をＢルート用通信部１３にエネルギー管理装置２０へ送信させる（ステップＳ１０６）。
【００４９】
エネルギー管理装置２０では、Ｂルート用通信部２１は、Ｂルートを介してスマートメータ１０から送信されてきた定期計測データ応答を受信する。エネルギー管理装置制御部２３は、Ｂルート用通信部２１により受信された定期計測データ応答に含まれる計測データを蓄積する（ステップＳ１０７）。
【００５０】
ここで、Ａルートに通信異常が発生したとする。
【００５１】
再び計測データの取得タイミングになると、サーバ制御部３３は、定期計測データ要求を、Ａルート用通信部３１にスマートメータ１０へ送信させる（ステップＳ１０８）。ここでは、Ａルートの通信異常のために、定期計測データ要求に応じて、Ａルートを介して計測データ応答がスマートメータ１０から送信されてこなかったとする。この場合、サーバ制御部３３は、計測データの取得に異常が発生したと判定する（ステップＳ１０９）。そして、サーバ制御部３３は、異常時に計測データの送信を要求する異常時計測データ要求を公共通信網用通信部３２にスマートメータ１０へ送信させる（ステップＳ１１０）。異常時計測データ要求は、異常が発生したことにより取得できなかった計測データの時間などを特定し必要なデータ要求を行う。
【００５２】
スマートメータ１０では、公共通信網用通信部１４は、公共通信網を介してサーバ３０から送信されてきた異常時計測データ要求を受信する。スマートメータ制御部１５は、公共通信網用通信部１４により受信された異常時計測データ要求に応じて、計測データを含む異常時計測データ応答を公共通信網用通信部１４にサーバ３０へ送信させる（ステップＳ１１１）。
【００５３】
サーバ３０では、公共通信網用通信部３２は、公共通信網を介してスマートメータ１０から送信されてきた異常時計測データ応答を受信する。サーバ制御部３３は、公共通信網用通信部３２により受信された異常時計測データ応答に含まれる計測データを蓄積する（ステップＳ１１２）。
【００５４】
ここで、図１においては、サーバ３０は、Ａルートを介した計測データの取得に異常が発生すると、公共通信網を介してスマートメータ１０から計測データを取得する例を用いて説明したが、これに限られるものではない。サーバ３０は、Ａルートを介した計測データの取得に異常が発生すると、公共通信網を介してエネルギー管理装置２０から計測データを取得してもよい。
【００５５】
このように、本実施形態においては、サーバ３０は、Ａルートを介した計測データの取得に異常が発生した場合には、公共通信網を介して計測データを取得する。こうすることで、Ａルートに通信異常が発生しても、サーバ３０は、その通信異常の解消を待つことなく計測データを取得することができるので、計測データを遅滞なく取得することができる。
【００５６】
次に、エネルギー管理システム１の動作の別の一例について、図３に示すシーケンス図を参照して説明する。ここで、一般に、スマートメータ１０、サーバ３０が計測データを蓄積している際に、蓄積されている計測データに異常（破損、欠落など）が生じる場合がある。図３においては、このような場合にも、サーバ３０が正常な計測データを取得するための動作について説明する。
【００５７】
まず、図３においては、スマートメータ１０が蓄積する計測データに異常が発生した場合の動作について説明する。図３において、図２と同様の処理については同じ符号を付し、説明を省略する。
【００５８】
図３においては、上述したステップＳ１０１、Ｓ１０５〜１０７の処理により、スマートメータ１０の計測データがエネルギー管理装置２０に送信されており、一方、この計測データはサーバ３０には送信されていないものとする。さらに、図３においては、スマートメータ１０に蓄積され、エネルギー管理装置２０に送信済みの計測データに、破損、欠落などの異常が発生したとする。
【００５９】
サーバ３０では、サーバ制御部３３は、計測データの取得タイミングになると、定期計測データ要求をＡルート用通信部３１にスマートメータ１０へ送信させる（ステップＳ２０１）。
【００６０】
スマートメータ１０では、Ａルート用通信部１２は、Ａルートを介してサーバ３０から送信されてきた定期計測データ要求を受信する。ここで、上述したように、スマートメータ１０に蓄積されている計測データには異常が発生している。この場合、スマートメータ制御部１５は、サーバ３０から送信されてきた定期計測データ要求をＡルート用通信部１２が受信すると、計測データに異常が発生した旨を示す計測データ異常通知をＡルート用通信部１２にサーバ３０へ送信させる（ステップＳ２０２）。
【００６１】
サーバ３０では、Ａルート用通信部３１は、Ａルートを介してスマートメータ１０から送信されてきた計測データ異常通知を受信する。サーバ制御部３３は、Ａルート用通信部３１により計測データ異常通知が受信されると、計測データの取得に異常が発生したと判定する（ステップＳ２０３）。そして、サーバ制御部３３は、異常時計測データ要求を公共通信網用通信部３２にエネルギー管理装置２０へ送信させる（ステップＳ２０４）。
【００６２】
エネルギー管理装置２０では、公共通信網用通信部２２は、公共通信網を介してサーバ３０から送信されてきた異常時計測データ要求を受信する。エネルギー管理装置制御部２３は、公共通信網用通信部２２により異常時計測データ要求が受信されると、ステップＳ１０７で受信し、蓄積していた計測データを読み出す（ステップＳ２０５）。そして、エネルギー管理装置制御部２３は、読み出した計測データを含む異常時計測データ応答を公共通信網用通信部２２にサーバ３０へ送信させる（ステップＳ２０６）。
【００６３】
サーバ３０では、公共通信網用通信部３２は、公共通信網を介してエネルギー管理装置２０から送信されてきた異常時計測データ応答を受信する。サーバ制御部３３は、公共通信網用通信部３２により受信された異常時計測データ応答に含まれる計測データを蓄積する（ステップＳ２０７）。
【００６４】
このように、スマートメータ１０に蓄積されている計測データに異常が発生した場合、サーバ３０が、公共通信網を介してエネルギー管理装置２０から計測データを取得することで、サーバ３０が正常な計測データを取得することができる。
【００６５】
次に、エネルギー管理システム１の動作の別の一例について、図４に示すシーケンス図を参照して説明する。図４においては、スマートメータ１０が蓄積する計測データに異常が発生した場合の他の動作について説明する。図４において、図３と同様の処理については同じ符号を付し、説明を省略する。
【００６６】
サーバ３０では、サーバ制御部３３は、計測データ異常通知をスマートメータ１０から受信し、計測データの取得に異常が発生したと判定すると（ステップＳ２０３）、異常時計測データ要求を公共通信網用通信部３２にエネルギー管理装置２０へ送信させる（ステップＳ２０４）。
【００６７】
エネルギー管理装置２０では、公共通信網用通信部２２は、公共通信網を介してサーバ３０から送信されてきた異常時計測データ要求を受信する。エネルギー管理装置制御部２３は、公共通信網用通信部２２により異常時計測データ要求が受信されると、ステップＳ１０７で受信し、蓄積していた計測データを読み出す（ステップＳ２０５）。そして、エネルギー管理装置制御部２３は、読み出した計測データを含む異常時計測データ応答をＢルート用通信部２１にスマートメータ１０へ送信させる（ステップＳ３０１）。
【００６８】
このように、図４においては、サーバ３０から送信される異常時計測データ要求は、スマートメータ１０に計測データを取得させるためのエネルギー管理装置２０に対する指示に相当する。
【００６９】
スマートメータ１０では、Ｂルート用通信部１３は、Ｂルートを介してエネルギー管理装置２０から送信されてきた異常時計測データ応答を受信する。スマートメータ制御部１５は、Ｂルート用通信部１３により受信された異常時計測データ応答に含まれる計測データを用いて、異常（破損・欠落）が発生したデータを復旧する（ステップＳ３０２）。
【００７０】
サーバ３０では、サーバ制御部３３は、異常時計測データ要求をエネルギー管理装置２０へ送信した後、異常時計測データ要求をＡルート用通信部３１にスマートメータ１０へ送信させる（ステップＳ３０３）。
【００７１】
スマートメータ１０では、Ａルート用通信部１２は、Ａルートを介してサーバ３０から送信されてきた異常時計測データ要求を受信する。スマートメータ制御部１５は、Ａルート用通信部１２により異常時計測データ要求が受信されると、復旧した計測データを含む異常時計測データ応答をＡルート用通信部１２にサーバ３０へ送信させる（ステップＳ３０４）。
【００７２】
サーバ３０では、Ａルート用通信部３１は、Ａルートを介してスマートメータ１０から送信されてきた異常時計測データ応答を受信する。サーバ制御部３３は、Ａルート用通信部３１により受信された異常時計測データ応答に含まれる計測データを蓄積する（ステップＳ３０５）。
【００７３】
このように、スマートメータ１０に蓄積されている計測データに異常が発生した場合、エネルギー管理装置２０は、計測データをスマートメータ１０に送信する。スマートメータ１０は、その計測データを用いて異常が発生した計測データを復旧し、復旧後の計測データをサーバ３０に送信する。こうすることで、サーバ３０が正常な計測データを取得することができる。また、スマートメータ１０、エネルギー管理装置２０およびサーバ３０の間で計測データの整合を図ることができる。
【００７４】
次に、エネルギー管理システム１の動作のさらに別の一例について、図５に示すシーケンス図を参照して説明する。図５においては、サーバ３０が蓄積する計測データに異常が発生した場合の動作について説明する。図５において、図２と同様の処理については同じ符号を付し、説明を省略する。
【００７５】
図５においては、上述したステップＳ１０１〜Ｓ１０７の処理により、スマートメータ１０の計測データがエネルギー管理装置２０およびサーバ３０に蓄積されているものとする。さらに、図５においては、サーバ３０に蓄積されている計測データに、破損、欠落などの異常が発生したとする。
【００７６】
サーバ３０では、サーバ制御部３３は、蓄積している計測データに破損、欠落などが発生すると、異常が発生したと判定し（ステップＳ４０１）、異常時計測データ要求を公共通信網用通信部３２にエネルギー管理装置２０へ送信させる（ステップＳ４０２）。
【００７７】
エネルギー管理装置２０では、公共通信網用通信部２２は、公共通信網を介してサーバ３０から送信されてきた異常時計測データ要求を受信する。エネルギー管理装置制御部２３は、公共通信網用通信部２２により異常時計測データ要求が受信されると、ステップＳ１０７で受信し、蓄積していた計測データを読み出す（ステップＳ４０３）。そして、エネルギー管理装置制御部２３は、読み出した計測データを含む異常時計測データ応答を公共通信網用通信部２２にサーバ３０へ送信させる（ステップＳ４０４）。
【００７８】
サーバ３０では、公共通信網用通信部３２は、公共通信網を介してエネルギー管理装置２０から送信されてきた異常時計測データ応答を受信する。サーバ制御部３３は、公共通信網用通信部３２により受信された異常時計測データ応答に含まれる計測データを蓄積する（ステップＳ４０５）。
【００７９】
そして、サーバ制御部３３は、異常時計測データ応答に含まれる計測データを蓄積すると、異常が発生した計測データが復旧した旨を示す復旧通知を公共通信網用通信部３２にエネルギー管理装置２０へ送信させる（ステップＳ４０６）。
【００８０】
エネルギー管理装置２０では、公共通信網用通信部２２は、公共通信網を介してサーバ３０から送信されてきた復旧通知を受信する。エネルギー管理装置制御部２３は、公共通信網用通信部２２により復旧通知が受信されると、計測データが復旧した旨を需要家施設に設けられた表示装置などに表示させる（ステップＳ４０７）。なお、異常が発生したこと、および計測データが復旧したことを表示装置に表示させずにバックグラウンドで処理してもよい。
【００８１】
このように、サーバ３０は、蓄積している計測データに異常が発生した場合に、公共通信網を介してエネルギー管理装置２０から計測データを取得する。こうすることで、サーバ３０が正常な計測データを取得することができる。また、スマートメータ１０、エネルギー管理装置２０およびサーバ３０の間で計測データの整合を図ることができる。
【００８２】
図５においては、エネルギー管理装置２０は、異常時計測データ要求をサーバ３０から受信すると、計測データを含む異常時計測データ応答をサーバ３０に送信する例を用いて説明したが、これに限られるものではない。エネルギー管理装置２０は、異常時計測データ要求をサーバ３０から受信すると、計測データを含む異常時計測データ要求をスマートメータ１０に送信してもよい。そして、スマートメータ１０が、Ａルートを介して、エネルギー管理装置２０から受信した異常時計測データ要求に含まれる計測データ応答をサーバ３０に送信してもよい。
【００８３】
また、図３〜５において、サーバ制御部３３は、異常時計測データ要求に応じて、エネルギー管理装置２０が、公共通信網を介して計測データをサーバ３０またはスマートメータ１０に送信した場合、エネルギー管理装置２０が設けられた需要家施設に対してインセンティブを与えてもよい。インセンティブとしては、需要家施設のエネルギー使用料金の減額、報奨金の支払いなどがある。
【００８４】
また、上述した動作例は適宜、組み合わせてもよい。
【００８５】
このように、本実施形態によれば、サーバ３０は、Ａルートを介したスマートメータ１０からの計測データの取得に異常が発生した場合、公共通信網を介して、計測データをスマートメータ１０に取得させる指示をエネルギー管理装置２０に送信する、またはスマートメータ１０に計測データを要求することで、その異常の解消を待たずに遅滞なく、計測データを取得することができる。
【００８６】
また、本実施形態によれば、スマートメータ１０は、エネルギー管理装置２０への計測データの送信後に、計測データに異常が発生した場合に、サーバ３０から計測データが要求されると、計測データの異常の発生をサーバ３０に通知する。また、サーバ３０は、計測データの異常の発生をスマートメータ１０から通知されると、公共通信網を介して、エネルギー管理装置２０に計測データを要求する。こうすることで、スマートメータ１０が蓄積する計測データに異常が発生した場合にも、サーバ３０は正常な計測データを取得することができる。
【００８７】
また、本実施形態によれば、エネルギー管理装置２０は、公共通信網を介して、サーバ３０から計測データ要求を受信すると、Ｂルートを介して、計測データをスマートメータ１０に送信する。また、スマートメータ１０は、Ｂルートを介して、エネルギー管理装置２０が送信した計測データを受信し、受信した計測データに基づき異常が発生した計測データを復旧し、Ａルートを介して、サーバ３０から計測データが要求されると、サーバ３０に復旧した計測データを送信する。こうすることで、スマートメータ１０が蓄積する計測データに異常が発生した場合にも、サーバ３０は正常な計測データを取得することができる。また、スマートメータ１０、エネルギー管理装置２０およびサーバ３０の間で、計測データの整合を図ることができる。
【００８８】
また、本実施形態によれば、サーバ３０は、スマートメータ１０から取得した計測データに異常が発生した場合、公共通信網を介して、エネルギー管理装置２０に計測データを要求する。また、エネルギー管理装置２０は、公共通信網を介して、サーバ３０から計測データを要求されると、公共通信網を介して、サーバ３０に計測データを送信する。こうすることで、サーバ３０が蓄積する計測データに異常が発生した場合にも、サーバ３０は再度、正常な計測データを取得することができる。
【００８９】
また、本実施形態によれば、サーバ３０は、エネルギー管理装置２０が送信した計測データを受信すると、公共通信網を介して、計測データの復旧をエネルギー管理装置２０に通知する。また、エネルギー管理装置２０は、公共通信網を介して、サーバ３０から計測データの復旧を通知されると、計測データが復旧した旨を表示装置に表示させる。こうすることで、サーバ３０との間で計測データの整合が図られていることを利用者が把握することができる。
【００９０】
また、本実施形態によれば、サーバ３０は、サーバ３０からの要求に応じてエネルギー管理装置２０が計測データをサーバ３０またはスマートメータ１０に送信した場合、エネルギー管理装置２０が設けられている需要家に対してインセンティブを与える。こうすることで、サーバ３０の要求に応じたエネルギー管理装置２０からの計測データの送信を需要家に促し、サーバ３０がより確実に、計測データを取得することができるようになる。
【００９１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００９２】
１    電力管理システム
１０    スマートメータ
１１    計測部
１２    Ａルート用通信部
１３    Ｂルート用通信部
１４    公共通信網用通信部
１５    スマートメータ制御部
２０    エネルギー管理装置
２１    Ｂルート用通信部
２２    公共通信網用通信部
２３    エネルギー管理装置制御部
３０    サーバ
３１    Ａルート用通信部
３２    公共通信網用通信部
３３    サーバ制御部
４０    コンセントレータ
【図１】
0006357414.tif 000002
【図２】
0006357414.tif 000003
【図３】
0006357414.tif 000004
【図４】
0006357414.tif 000005
【図５】
0006357414.tif 000006